(57)【特許請求の範囲】
【請求項１】
引戸の一端にある引手側に対向する他端の木口面側に固定されて対向する対の保持片を有する座金と、基端部に径入片を有しその係入片が前記対の保持片の間に形成される係入孔に係合されることにより座金に着脱自在に装着され、先端部に設けられた弾性部材が引戸開放時に戸枠に当接する本体部材とから構成され、本体部材は引戸開放時に引手が引戸に重ならない長さに形成されることを特徴とする引戸用戸当り。
【請求項２】
請求項１記載の引戸用戸当りにおいて、座金と本体部材の基端部とには、先端を略々Ｌ字形に曲げて対向する対の保持片と、この保持片の間に自由端から基部へと係入可能に曲げ成形される係入片とがそれぞれ設けられて構成されることを特徴とする引戸用戸当り。
【請求項３】
請求項１又は２記載の引戸用戸当りにおいて、前記本体部材の基端部には、前記座金の面に対して直交するように当接する突出片が設けられていることを特徴とする引戸用戸当り。
【発明の詳細な説明】
【０００１】
【発明の属する技術分野】
本発明は、たとえば引戸等に用いられる引戸用戸当りに関する。
【０００２】
【従来の技術】
たとえば、引戸の場合の開閉はそれぞれの引戸の面方向に沿った移動によって行われる。
【０００３】
すなわち、図５に示すように、引戸１０，２０はそれぞれ左右にスライド自在に配設されている。それぞれの引戸１０，２０の一端側に穿設された貫通孔（図示省略）両側には、引手１１，２１が取り付けられており、いずれか一方の引手１１又は２１に指を掛けてスライドさせることにより、引戸１０又は２０を開けることができるようになっている。
【０００４】
【発明が解決しようとする課題】
ところで、上述した従来の引戸の場合、たとえば引戸１０を開けると、引戸２０が引戸１０の背面側に隠れる。また、引戸１０と引戸２０との間の隙間は、互いに接触しない程度に極力狭くされている。さらに、引手１１，２１には、指を引っ掛け易くするために、指掛け凹部（図示省略）が設けられており、その指掛け凹部は引戸１０，２０の表面より凹んだ状態にある。
【０００５】
このようなことから、引戸１０又は引戸２０の開放に伴って互いに重なる側の引手１１，２１の指掛け凹部がそれぞれの引戸１０，２０の外周縁部によって隠れる直前位置までくると、それぞれの指掛け凹部によって引戸１０と引戸２０との間に隙間を生じてしまうことになる。この場合、指掛け凹部から指を抜かずにそのまま引戸１０又は２０を完全に開けようとすると、引戸１０と引戸２０との間の隙間によって指詰めを発生してしまい、指を怪我してしまうおそれがある。本発明は、このような事情に対処してなされたもので、指詰めの発生を容易且つ確実に防止することができる引戸用戸当りを提供することを目的とする。
【０００６】
【課題を解決するための手段】
引戸の一端にある引手側に対向する他端の木口面側に固定されて対向する対の保持片を有する座金と、基端部に径入片を有しその係入片が前記対の保持片の間に形成される係入孔に係合されることにより座金に着脱自在に装着され、先端部に設けられた弾性部材が引戸開放時に戸枠に当接する本体部材とから構成され、本体部材は引戸開放時に引手が引戸に重ならない長さに形成されることを特徴とする。
【０００７】
この発明では、引戸の一端にある引手側に対向する他端の木口面側に固定されて対向する対の保持片を有する座金に対して、先端部に弾性部材を有する本体部材の基端部の係入片が対の保持片の間に形成される係入孔に係合されることにより着脱自在に装着されるため、座金に対しての本体部材の基端部との脱着がワンタッチで行える。さらに、本体部材が引戸開放時に引手が引戸に重ならない長さに形成され、戸開放時に本体部材の先端部がたとえば戸枠に当接することにより、戸の移動量が規制され、戸間の隙間への引手の移動が阻止される。
【０００８】
また、本体部材の先端部に弾性部材が装着されているため、戸を強く移動させての戸解放時に本体部材の先端部が戸枠等に急激に当接した場合であっても、弾性部材がその衝撃を和らげるため、衝撃音等を発生しないばかりか、その側端面に傷を付けてしまうこともない。
【０００９】
請求項２記載の発明は、請求項１記載の引戸用戸当りにおいて、座金と本体部材の基端部とには、先端を略々Ｌ字形に曲げて対向する対の保持片と、この保持片の間に自由端から基部へと係入可能に曲げ成形される係入片とがそれぞれ設けられて構成されることを特徴とする。
【００１０】
この発明では、対の保持片に対して係入片が係入自在とされているため、座金に対しての本体部材の基端部との脱着がワンタッチで行える。
【００１１】
請求項３記載の発明は、前記本体部材の基端部には、前記座金の面に対して直交するように当接する突出片が設けられていることを特徴とする。
【００１２】
この発明では、戸開放時に本体部材の先端部が戸枠等に急激に当たった場合であっても、その衝撃が座金の面によって受けとめられるので、対の保持片及び係入片が変形してしまうこともなく、これら保持片と係入片との係入状態が良好に維持される。
【００１３】
【発明の実施の形態】
以下、本発明の実施の形態を図面に基づいて説明する。なお、以下に説明する図において、図５と共通する部分には同一符号を付し重複する説明を省略する。
【００１４】
図１乃至図３は、本発明の引戸用戸当りの一実施の形態を示すものである。これらの図に示すように、本実施の形態の引戸用戸当り３０は、たとえば、引戸１０の一端にある引手１１側に対向する他端の木口面１２側に装着されるようになっている。なお、その引戸用戸当り３０は、引戸１０側に限らず、引戸２０の引手２１側に対向する他端の木口面２２側に装着するようにしてもよい。
【００１５】
引戸用戸当り３０は、図３に示すように、たとえば引戸１０の木口面１２側に取り付けられる座金４０、角柱状の本体部材５０及び弾性部材６０によって構成されている。なお、本体部５０にあっては、角柱状に限らず、円柱状等の他の柱状であってもよい。
【００１６】
座金４０の座金本体４１には、先端を略々Ｌ字形に曲げて対向する対の保持片４２と、図示しないねじが装着されるねじ孔４３とが設けられている。そして、対の保持片４２によって形成される係入孔４４には、後述する本体部材５０側の係入片５１が係入されるようになっている。
【００１７】
本体部材５０の基端部には、その自由端から基部へと係入可能に曲げ成形された係入片５１が設けられている。そして、その係入片５１が上記の対の保持片４２間の係入孔４４に係入されることにより、本体部材５０が座金４０に固定されるようになっている。このとき、係入片５１の両側に設けられている突出片５２が座金４０の座金本体４１に当接することにより、座金４０に対しての本体部材５０のガタ付きが防止されるようになっている。
【００１８】
また、突出片５２が座金本体４１に当接していることにより、引戸１０の開放に伴って引戸用戸当り３０の先端部が戸枠７０等に急激に当接した場合であっても、その力が座金本体４１によって受けとめられるため、補強効果が高められるとともに、対の保持片４２及び係入片５１が変形してしまうこともなく、これら保持片４２と係入片５１との係入状態が良好に維持される。
【００１９】
本体部材５０の先端部には、ネオプレーンゴム製の弾性部材６０が着脱自在に装着されている。なお、この弾性部材６０にあっては、ネオプレーンゴム製に限らず、樹脂等の他の材質のものを用いてもよい。
【００２０】
そして、戸解放時に本体部材５０の先端部が戸枠７０等に急激に当接した場合であっても、弾性部材６０がその衝撃を和らげるようになっている。
【００２１】
また、本体部材５０及び弾性部材６０による長さ寸法は、たとえば引戸１０が開けられたとき、その引手１１が引戸２０によって重ならない程度の長さであればよい。
【００２２】
続いて、以上のような構成の引戸用戸当り３０の使用方法について説明する。まず、座金４０をたとえば引戸１０の一端にある引手１１側に対向する他端の木口面１２側に取り付ける。座金４０の取り付けに際しては、座金本体４１の背面側を木口面１２のたとえば上部側に位置合わせし、その座金本体４１のねじ孔４３を介して図示しないねじをねじ込む。但し、その座金４０の取り付け位置に際しては、木口面１２の上部側に限らず、中部又は下部側であってもよく、それぞれの住宅事情に適した位置であればよい。
【００２３】
座金４０を取り付けた後、本体部材５０の基端部に設けられている係入片５１を、座金本体４１の対の保持片４２間の係入孔４４に係入する。これで、引戸用戸当り３０の取り付けが完了する。
【００２４】
この状態で、引手１１に指を掛けて引戸１０を図２のように、図中右側に移動させると、本体部材５０の先端部が戸枠７０に当接し、引戸１０の開放が引戸用戸当り３０の長さ分だけ阻止される。
【００２５】
このとき、引手１１，２１はそれぞれの引戸１０，２０によって隠れることはないので、引戸１０と引戸２０との間の隙間によって指詰め起こすようなこともなくなる。
【００２６】
またこのとき、引戸１０を強く開けることによって、引戸用戸当り３０の本体部材５０の先端部が戸枠７０に急激に当接した場合であっても、弾性部材６０がその衝撃を和らげるため、衝撃音等を発生しないばかりか、その戸枠７０に傷を付けてしまうこともない。
【００２７】
一方、引戸１０を全開放したい場合には、本体部材５０を座金本体４１から取り外しておく。このとき、本体部材５０の基端部の係入片５１を、座金本体４１の対の保持片４２間の係入孔４４から引き抜くことで、引戸用戸当り３０の取り外しが完了する。
【００２８】
これにより、引戸１０の木口面１２には、座金４０のみが残されるが、座金４０自体は厚みがないので、引戸１０を全開放状態まで開けることができる。
【００２９】
ちなみに、引戸１０の木口面１２に対して本体部材５０の装着位置を適宜変更したい場合には、予めその木口面１２に複数の座金４０を取り付けておくことで、何れかの座金４０に対しての本体部材５０のワンタッチ着脱が可能となり、装着位置の変更を容易に行うことができる。
【００３０】
このように、本実施の形態では、引戸１０，２０の一端にある引手１１，２１側に対向する他端の木口面側に固定される座金４０に対して先端部に弾性部材６０を有する本体部材５０の基端部が着脱自在に装着されるため、戸開放時に本体部材５０の先端部がたとえば戸枠７０に当接することにより、引戸１０，２０の移動量が規制され、引戸１０，２０間の隙間への引手１１，２１の移動が阻止される。
【００３１】
また、本体部材５０の先端部に弾性部材６０が装着されているため、引戸１０，２０を強く移動させての戸解放時に、本体部材５０の先端部が戸枠７０等に急激に当接した場合であっても、弾性部材６０がその衝撃を和らげるため、衝撃音等を発生しないばかりか、その側端面に傷を付けてしまうこともない。
【００３２】
なお、この実施の形態では、図３に示したように、座金４０側に対の保持片４２を設け、本体部材５０側に係入片５１を設け、その係入片５１を対の保持片４２間の係入孔４４に係入させるようにした場合について説明したが、この例に限らず、図４に示すように、座金４０側に上方に向けて折り曲げた係入片４５を設け、本体部材５０側に対の保持片５３を設け、これら保持片５３間の保持孔５４を係入片４５に落とし込むようにしてもよい。
【００３３】
【発明の効果】
以上説明したように、本発明の引戸用戸当りによれば、引戸の一端にある引手側に対向する他端の木口面側に固定されて対向する対の保持片を有する座金に対して、先端部に弾性部材を有する本体部材の基端部の係入片が対の保持片の間に形成される係入孔に係合されることにより着脱自在に装着されるため、座金に対しての本体部材の基端部との脱着がワンタッチで行える。さらに、本体部材が引戸開放時に引手が引戸に重ならない長さに形成され、戸開放時に本体部材の先端部がたとえば戸枠に当接することにより、戸の移動量が規制され、戸間の隙間への引手の移動が阻止されることから、指詰めの発生を容易且つ確実に防止することができる。
【図面の簡単な説明】
【図１】本発明の引戸用戸当りの一実施の形態を示す斜視図である。
【図２】図１の引戸を移動させた状態を示す斜視図である。
【図３】図１の引戸用戸当りを示す斜視図である。
【図４】図３の引戸用戸当りの構成を変えた場合の他の実施の形態を示す斜視図である。
【図５】従来の引戸を示す斜視図である。
【符号の説明】
１０，２０ 引戸
１１，２１ 引手
１２，２２ 木口面
３０ 引戸用戸当り
４０ 座金
４１ 座金本体
４２ 保持片
４３ ねじ孔
４４ 係入Ｗ孔
５１ 係入片
５０ 本体部材
６０ 弾性部材
７０ 戸枠
【図１】
0003670409.tif 000002
【図２】
0003670409.tif 000003
【図３】
0003670409.tif 000004
【図４】
0003670409.tif 000005
【図５】
0003670409.tif 000006